(57)【要約】【課題】プリンタの空き時間の有効利用が可能な写真プリントシステム用制御装置を提供する。【解決手段】写真プリントシステムは、写真フイルムスキャナ，制御装置及びプリンタからなる。制御装置は、スキャナから取り込まれた画像データに対して画像処理を施す画像処理を実行するとともに、システムの各部を制御する。制御装置は、操作画面を表示するディスプレイを備えており、オペレータは、この操作画面を通じてシステムを操作する。操作画面には、オートプリントアイコン３３ｅが設けられている。前記写真フイルムスキャナとは異なる入力装置から、プリント要求があった場合には、このオートプリントアイコン３３ｅによってその旨の通知がなされる。このオートプリントアイコン３３ｅをクリックすると、受け付けたプリント要求に対するプリント処理が実行される。【選択図】　　　　図４
2004110715.tif 000002
【特許請求の範囲】
【請求項１】
第１の画像取り込み装置と、この第１の画像取り込み装置から取り込まれた複数のコマ画像に対して注文単位で画像処理を施して出力用の画像データを得る画像処理装置と、前記出力用の画像データに基づいて記録材料に前記コマ画像をプリントするプリント装置とからなる写真プリントシステムに用いられ、このシステムを操作する操作画面を表示するディスプレイを有する写真プリントシステム用制御装置において、
前記第１の画像取り込み装置から取り込まれた複数のコマ画像に対する第１の処理を実行している途中に、前記第１の画像取り込み装置とは異なる第２の画像取り込み装置から注文単位で入力された複数のコマ画像に対する第２の処理の要求を受け付ける処理要求受付手段と、前記処理要求を受け付けたことをオペレータに通知する通知手段と、前記プリント装置に対して、前記第１の処理の合間に前記第２の処理を実行する旨の指示を与える指示手段とを備えていることを特徴とする写真プリントシステム用制御装置。
【請求項２】
前記通知手段は、前記操作画面に表示されるアイコンにより通知を行うことを特徴とする請求項１記載の写真プリントシステム用制御装置。
【請求項３】
前記第２の処理で使用される記録材料が前記プリント装置にセットされていない場合には、前記アイコン上にその旨の警告が表示されることを特徴とする請求項２記載の写真プリントシステム用制御装置。
【請求項４】
さらに、前記警告とともに、前記第２の処理で使用される記録材料の種類が表示されることを特徴とする請求項３記載の写真プリントシステム用制御装置。
【発明の詳細な説明】
【０００１】
【発明の属する技術分野】
本発明は、写真フイルムなどからコマ画像を取り込んでプリントする写真プリントシステムに用いられる写真プリントシステム用制御装置に関するものであり、更に詳しくは、複数の画像取り込み装置を備えた写真プリントシステム用制御装置に関するものである。
【０００２】
【従来の技術】
写真フイルムに記録された複数のコマ画像を光電的に読み取ってデジタルデータとして出力するフイルムスキャナと、このフイルムスキャナから取り込まれたデジタルデータに対して種々の画像処理を施して、プリント用の画像データを得る画像処理装置と、前記プリント用の画像データに基づいて記録材料に前記コマ画像をプリントするプリンタとからなる写真プリントシステムが知られている（例えば、特許文献１，２，３）。
【０００３】
この写真プリントシステムは、操作画面を表示するディスプレイを備えた制御装置によって統括的に制御される。制御装置及び画像処理装置は、一体化されており、写真フイルムスキャナとともに画像入力機（第１の画像入力機）を構成する。操作画面は、例えば、システムの点検作業、プリント作業などの各作業毎に設けられたプリント作業画面，点検作業画面などの各作業画面から構成されている。プリント作業は、注文単位で取り込んだコマ画像に対する各種処理条件の設定、設定した処理条件に基づくプリント処理などの一連の作業をいう。オペレータは、作業画面を見ながらこれらの作業を行う。
【０００４】
ところで、近年、デジタル化された撮像データをメモリーカードに画像ファイルとして記録するデジタルカメラが急速に普及しており、それに伴って、前記画像ファイルに基づいてプリントを行うサービスに対する需要も増加している。そのため、前記写真プリントシステムでは、例えば、フォトＣＤなど、複数の画像ファイルが記憶された記憶メディアから画像ファイルを取り込めるようにしている。その場合には、例えば、写真プリントシステムに、前記フイルムスキャナとは異なる画像取り込み装置として、前記記憶メディアにアクセスして画像ファイルを読み取るメディアドライブ装置を備えた第２の画像入力機が接続される。
【０００５】
【特許文献１】
特開２０００−０１２４１６号公報
【特許文献２】
特開２００２−２１８２１７号公報
【特許文献３】
特開２００２−２１８２１８号公報
【０００６】
【発明が解決しようとする課題】
しかしながら、上記写真プリントシステムは、第１及び第２の２つの画像入力機を接続できるものの、一方の画像入力機でプリント作業をしている間は、他方の画像入力機から取り込んだ画像のプリント処理を実行することができなかった。上述したように、プリント作業には各種の設定等があり、作業の間、常にプリンタが動作しているわけではない。そのため、一方の画像入力機から取り込んだプリント作業を実行している途中に、プリンタの空き時間を利用して、他方の画像入力機から取り込んだプリント処理をさせたいという要望が多かった。
【０００７】
本発明は、プリンタの空き時間の有効利用が可能な写真プリントシステム用制御装置を提供することを目的とする。
【０００８】
【課題を解決するための手段】
前記課題を解決するために、本発明の写真プリントシステム用制御装置は、第１の画像取り込み装置と、この第１の画像取り込み装置から取り込まれた複数のコマ画像に対して注文単位で画像処理を施して出力用の画像データを得る画像処理装置と、前記出力用の画像データに基づいて記録材料に前記コマ画像をプリントするプリント装置とからなる写真プリントシステムに用いられ、このシステムを操作する操作画面を表示するディスプレイを有する写真プリントシステム用制御装置において、前記第１の画像取り込み装置から取り込まれた複数のコマ画像に対する第１の処理を実行している途中に、前記第１の画像取り込み装置とは異なる第２の画像取り込み装置から注文単位で入力された複数のコマ画像に対する第２の処理の要求を受け付ける処理要求受付手段と、前記処理要求を受け付けたことをオペレータに通知する通知手段と、前記プリント装置に対して、前記第１の処理の合間に前記第２の処理を実行する旨の指示を与える指示手段とを備えていることを特徴とする。
【０００９】
前記通知手段は、前記操作画面に表示されるアイコンにより通知を行うことが好ましい。また、前記第２の処理で使用される記録材料が前記プリント装置にセットされていない場合には、前記アイコン上にその旨の警告が表示されるようにするとよい。さらに、前記警告とともに、前記第２の処理で使用される記録材料の種類を表示してもよい。
【００１０】
【発明の実施の形態】
図１に示す写真プリントシステム２は、写真フイルムスキャナ３、制御装置４、レーザプリンタ５、及びプロセサ６を含んで構成されている。制御装置４は、システム全体を統括的に制御するとともに、画像処理部７を備えており、写真フイルムスキャナ３から取り込んだ複数のコマ画像に対して画像処理を施し、出力用の画像データを得る画像処理装置としても機能する。写真フイルムスキャナ３及び制御装置４は第１の入力機８を構成しており、レーザプリンタ５及びプロセサ６は出力機９を構成する。
【００１１】
写真フイルムスキャナ３は、写真フイルムの幅方向に沿ったラインＣＣＤを備えており、写真フイルムとラインＣＣＤとを相対移動させてコマ画像を読み取るラインＣＣＤスキャナである。写真フイルムスキャナ３は、フイルムキャリアにセットされた写真フイルムから複数のコマ画像を読み取る。この読み取り信号はＡ／Ｄコンバータによりデジタルデータ化され、この写真画像データが制御装置４に取り込まれる。
【００１２】
写真フイルムスキャナ３は、ディスプレイ表示用の画像データ（表示用画像データ）を得るためのプレスキャンと、この表示用画像データよりも解像度が高いプリンタへ出力される出力用画像データを得るためのファインスキャンとを行う。
【００１３】
レーザプリンタ５は、出力用画像データに基づいてカラーペーパに対して主走査方向に走査露光をし潜像を記録するレーザー露光ユニットと、カラーペーパを副走査方向に搬送する搬送手段と，カラーペーパを収納する給紙マガジンとからなる。レーザー露光ユニットは、周知のように、Ｒ，Ｇ，Ｂの各レーザー発光部，ポリゴンミラー，Ｆθレンズ，反射ミラーなどをユニット化したものである。プロセサ６は、潜像が記録されたカラーペーパに対して現像処理を行う。これにより、コマ画像がプリントされた写真プリントが得られる。
【００１４】
さらに、この写真プリントシステム２には、制御装置４に、前記第１の入力機８とは異なる第２の入力機２６を接続することができる。第２の入力機２６は、前記フイルムスキャナとは異なる第２の画像取り込み装置であるメディアドライブ２７と、サブコントローラ２８とからなる。後述するように、写真プリントシステム２は、プリントサービスとして、「画像ファイルからのプリント」サービスを提供することができる。「画像ファイルからのプリント」サービスとは、デジタルカメラで撮影した撮影画像を記憶するメモリーカードや、ＣＤ（Ｃｏｍｐａｃｔ　Ｄｉｓｋ）などの記憶メディアから画像ファイルを取り込み、その写真プリントを作成するサービスである。メディアドライブ２７は、前記記憶メディアにアクセスして、画像ファイルを読み取るデータ読み取り装置である。
【００１５】
サブコントローラ２８は、メディアドライブ２７から読み取った画像ファイルに対して画像処理を施し補正済みデータを得る。そして、この補正済みデータのプリント処理を出力機９が実行するように、制御装置４に対してプリント要求を送る。このように、写真プリントシステム２は、１台の出力機９を複数の入力機で共用することができる。
【００１６】
図２に示すように、制御装置４は、システムコントローラ１１，画像処理部１２，ストレージ１３，画像メモリ１４，表示用メモリ１６，操作部１７及びディスプレイ１８，通信Ｉ／Ｆ１９から構成されている。
【００１７】
システムコントローラ１１は、ＣＰＵ，ＲＯＭ，ＲＡＭなどから構成されており、操作部１７から入力された操作コマンドに従って、システム各部を制御するとともに、画像処理部１２を制御して各種の画像処理を実行させる。画像メモリ１４は、写真フイルムスキャナ３から読み取られた写真画像のデータを一時的に記憶するフレームメモリである。画像処理部１２は、この写真画像に対して色補正，濃度補正，ソフトフォーカス処理など各種の画像補正処理や、予め用意されたテンプレート画像とコマ画像とを合成する画像合成処理などの各種画像処理を施す。表示用メモリ１６は、コマ画像や操作画面などをディスプレイ１８に出力する際に使用される。
【００１８】
ストレージ１３には、オペレーティングシステム、写真フイルムスキャナ３や出力機９を制御する制御プログラム、画像処理を行う画像処理アプリケーションなどの各種プログラムの他、画像合成用の各種テンプレートデータや各種設定情報を記憶する情報ファイルなどが記憶される。システムコントローラ１１は、プログラムをストレージ１３からＲＡＭにロードしてプログラムに記述された処理ステップを実行する。通信Ｉ／Ｆ１９は、第２の入力機２６との間でデータ通信を行うための通信インターフェースである。システムコントローラ１１は、この通信インタフェースを通じて、第２の入力機２６からのプリント要求を受け付ける。後述するように、システムコントローラ１１は、プリント要求を受け付けると、ディスプレイ１８に表示されるアイコンにより、オペレータにその旨を通知する。
【００１９】
制御装置４はＧＵＩ（Ｇｒａｐｈｉｃａｌ　Ｕｓｅｒ　Ｉｎｔｅｒｆａｃｅ）を採用しており、システムコントローラ１１に対する操作コマンドは、ディスプレイ１８に表示された操作画面を通じて操作部１７から入力される。操作部１７は、キーボード２１とマウス２２とからなる。オペレータは、操作画面を見ながら、操作部１７を操作することで、システムコントローラ１１に対して指示が与えられる。
【００２０】
写真プリントシステム２を起動すると、ディスプレイ１８に初期画面が表示される。ここで、始業点検作業，プリント作業，終業点検作業，保守作業の各作業のいずれかを選択すると、それぞれの作業画面に移行する。オペレータは、各作業画面の案内に従って、作業を行う。プリント作業画面は、サービス種選択画面，注文情報設定画面，検定画面の各画面から構成される。
【００２１】
サービス種選択画面には、、写真プリントシステム２が提供するプリントサービスの種類が表示される。サービスの種類としては、写真フイルムからコマ画像を読み取って、そのコマ画像をカラーペーパにプリントして写真プリントを得る「フイルムからプリント」サービス，テンプレート画像とコマ画像とを合成して合成画像を得る「合成プリント」サービス，画像ファイルから写真プリントを得る「画像ファイルからプリント」サービスなどがある。
【００２２】
「フイルムからプリント」サービスを選択すると、図３に示す注文情報設定画面７１が表示される。プリント作業は、注文単位で行われるので、注文情報設定画面７１の上部には、オーダー番号表示部７２が設けられており、オペレータが現在作業しているオーダーを確認できるようにしている。
【００２３】
注文情報設定画面７１は、注文情報と、１つの注文単位で取り込まれた複数のコマ画像に共通な処理条件とからなる共通情報を設定する共通情報設定画面である。注文情報としては、プリント枚数，プリントサイズ，カラーペーパの裏面に日付やオーダー番号などの文字情報を印字する裏印字（バックプリント）などの設定がある。共通な処理条件としては、スキャナー条件，画像処理条件，プリント条件などがあり、この画面で設定された処理条件は、後述する検定画面において各コマ毎に設定が変更されない限り、１オーダー内のすべてのコマ画像に適用される。
【００２４】
メイン領域７３には、図に示す注文入力画面７４，第１の処理設定画面（図示せず），第２の処理設定画面（図示せず）の３つのサブ画面が選択的に表示される。これら３つのサブ画面は、各画面に対応したタブ７４ａ，７４ｂ，７４ｃにマウス２２のポインタ２４を合わせてクリックすることで切り替えられる。上記注文情報や、共通な処理条件は、これらのサブ画面で設定される。
【００２５】
注文入力画面７４は、入力情報領域７８と、出力情報領域７９とに区画されている。入力情報領域７８には、写真フイルムの種別を設定するフイルム種別設定ボタン７８ａが設けられている。ボタン７８ａを押すと、カラーネガフイルム，リバーサルフイルム，モノクロフイルムなどのフイルム種別が表示された選択ボックスが表示され、その選択ボックスでいずれかのフイルムを選択することにより設定が行われる。選択されたフイルム種別は、例えば、ボタン７８ａの上やその近傍に表示される。
【００２６】
出力情報領域７９には、プリントサイズを設定するプリントサイズ設定ボタン７９ａ，インデックスプリントの有無や、そのプリントにロゴマークを入れるか入れないかを設定するインデックスプリント設定ボタン７９ｂ，バックプリントをするかしないかを設定するバックプリント設定ボタン７９ｃ，プリント枚数を指定するボックス７９ｄが設けられている。ボタン７９ａ〜７９ｃをクリックすると、ボタン７９ａと同様に、選択ボックスが表示され、その選択ボックスで設定を行う。ボックス７９ｄには、枚数表示部の下方の上下の矢印が設けられており、これをクリックして枚数を指定する。第１及び第２の処理設定画面では、画像処理条件，プリント条件，スキャナ条件，フロントプリントの各条件が設定される。
【００２７】
メインウインドウ７３の下方には、６つのファンクションボタン８８ａ，８８ｂ，８８ｃ，８８ｄ，８８ｅ，８８ｆが設けられている。これらファンクションボタン８８ａ〜８８ｆは、キーボード２１上のファンクションキーＦ１〜Ｆ６（図示せず）と対応しており、各ファンクションキーＦ１〜Ｆ６の並びに従って配列されている。
【００２８】
ファンクションキーＦ１〜Ｆ６は、周知のように、特定の機能を割り当てることができる専用キーであり、各ファンクションボタン８８ａ〜８８ｆも、各ファンクションキーＦ１〜Ｆ６と同一の機能が割り当てられた専用ボタンである。各ファンクションボタン８８ａ〜８８ｆ上には、割り当てられた機能を表すタイトルが表示される。これらファンクションボタン８８ａ〜８８ｆに、頻繁に使用する機能や複数の項目を一括指定する機能を割り当てることで、操作性を向上させることができる。
【００２９】
また、ファンクションボタン８８ｆの右横には、オーダー選択ボタン８８ｇが設けられている。オーダー選択ボタン８８ｇは、複数のオーダー（注文）の画像データが取り込まれている場合に、作業を行う注文を選択するボタンである。
【００３０】
また、注文情報設定画面７１の下には、システム情報バー３３が設けられている。このシステム情報バー３３は、主として、システムに関わる情報の表示や、それらの設定を行うための操作ボタンが設けられる領域である。システムに関わる情報としては、例えば、プリンタにセットされているペーパの幅や、写真フイルムスキャナ３で選択されているマスク種の種類や、選択されているフイルムの送り方式に関する情報などがある。
【００３１】
ステータスボタン３３ａは、システムのステータスの表示や、写真フイルムスキャナ３，レーザプリンタ５，プロセッサ６などの動作を強制的に開始又は停止する際に使用される。このシステム情報バー３３は、すべての作業画面とともに表示されるが、時宜に応じてそこに表示される操作ボタンや情報の内容は切り替わる。初期画面３１が表示されている場合には、システム情報バー３３には、ステータスボタン３３ａ、レーザプリンタ５にセットされているペーパ幅、ペーパ巻き戻しボタン３３ｂが表示される。ペーパ幅は、ペーパ巻き戻しボタン３３ｂの上方に表示される。
【００３２】
ペーパ巻き戻しボタン３３ｂの右横には、プリントサイズ選択ボタン３３ｃが設けられている。プリントサイズ選択ボタン３３ｃは、出力情報領域７９に設けられたプリントサイズ選択ボタン７９ａと同様の機能を持つ。このプリントサイズ選択ボタン３３ｃの横には、メインウインドウ７３で指定した各種の情報のうち、フイルム種別，フイルム送り方式等の情報が表示される。また、システム情報バー３３の右端には、前画面へ復帰する復帰ボタン３３ｅが表示されており、その左横には、オートプリントアイコン３３ｄが設けられている。
【００３３】
オートプリントアイコン３３ｄは、制御装置４に第２の入力機２６からのプリント要求が入力された場合に、その旨をオペレータに通知するためのアイコンである。図４（Ａ）は、オートプリントアイコン３３ｄの初期状態を示す。第２の入力機２６からのプリント要求を受け付けると、アイコン３３ｄの表示が、図４（Ｂ）に示すＯＫ表示、又は図４（Ｃ）に示すＮＧ表示に変わる。プリンタ５にセットされているペーパの幅が指定されたペーパの幅と同じ時には、ＯＫ表示がなされ、ペーパ幅が合っている旨の表示がなされる。他方、ペーパの幅が異なる場合又はプリンタ５にペーパがセットされていない場合には、ＮＧ表示として、例えば、ビックリマークを表示して、その旨をオペレータに警告する。
【００３４】
これにより、オペレータに対して、ペーパのセット又は交換をするように促す。この表示になっているときに、アイコン３３ｄにポインタ２４を合わせると、メッセージバルーン９０が表示される。このメッセージバルーン９０には、例えば、「１２７ｍｍ幅のペーパに交換してください」というように、セットすべきペーパの種類（幅）を示すメッセージが表示される。こうすることで、オペレータがセットすべきペーパの種類を容易に確認できるようにしている。
【００３５】
このプリント要求に対するプリント処理を出力機９に実行させる場合には、このオートプリントアイコン３３ｄをマウス２２でクリックする。これにより、プリント指示がなされる。出力機９は、プリント指示を受けたときに既に他のプリント処理を実行している場合には、そのプリント処理の合間に他のプリント処理を実行する。こうすることで、出力機９の利用効率を向上させている。
【００３６】
注文情報設定画面７１で、共通情報の設定が終了した後、写真フイルムスキャナ３に写真フイルムをセットすると、自動的にフイルム１本分のコマのプレスキャンが開始され、しかる後、画面が自動的に、図４に示す検定画面９１に切り替わって、６つのコマ画像がその検定画面９１に表示される。
【００３７】
この検定画面９１は、各コマ毎の処理条件を設定する個別情報設定画面である。検定画面９１のメインウインドウ９２には、プレスキャンされたコマ画像が６コマずつ並べて表示される。各コマ表示領域９２ａ〜９２ｆには、それぞれ、指定されたプリント枚数，色補正値（Ｃ，Ｍ，Ｙ），濃度補正値（Ｄ）が表示される。
【００３８】
各コマ表示領域９２ａ〜９２ｆのいずれかには、カーソル９３が表示される。このカーソル９３を所望のコマ表示領域に合わせると、そのコマ表示領域では、前記プリント枚数，色補正値（Ｃ，Ｍ，Ｙ），濃度補正値（Ｄ）の各値の変更が可能になる。図上、カーソル９３は、コマ表示領域９２ａに表示されており、この状態で、例えば、キーボードから数値を入力することで、値を変更することができる。また、各値が表示されたボックスにポインタ２４を合わせてクリックすると、そのボックスが拡大表示されるとともに上下の各矢印ボタンが表示される。そして、この矢印ボタンをクリックすると各補正値やプリント枚数が変更される。
【００３９】
この検定画面９１で指定されたプリント枚数は、前記注文情報設定画面７１で設定された値に優先して適用される。例えば、前記注文情報設定画面７１でプリント枚数を１枚に指定した後、この検定画面９１であるコマ画像に対して、そのプリント枚数を２枚に指定した場合には、当該コマ画像については、プリント枚数が２枚に指定される。他のコマ画像に関しては、前記注文情報設定画面７１で指定されたプリント枚数（１枚）が適用される。
【００４０】
各コマの検定作業が終了したら、この検定確定ボタン８８ｈをクリックする。すると、表示された６コマの処理条件が確定し、それらのコマのファインスキャンが開始されて画像取り込みが行われる。そして、取り込まれた画像データに対して、設定された処理条件に基づいて画像処理が施されて出力用画像データが作成される。この出力用画像データは、出力機９に送られる。出力機９は、受信した６コマ分の出力用画像データに基づいてプリント処理を実行し、写真プリントを作成する。この検定確定ボタン８８ｈの代わりに、キーボードのＥＮＴＥＲキーを押下しても同様の処理が実行される。
【００４１】
以下、上記プリント作業手順を説明する。サービス種選択画面で「フイルムからプリント」サービスを選択すると、注文情報設定画面７１が表示される。オペレータは、この注文情報設定画面７１において、各種の共通情報を設定する。この設定作業中に、第２の入力機２６からのプリント要求を受け付けると、オートプリントアイコン３３ｅの表示が、図４（Ａ）に示すＯＫ表示から、図４（Ｂ）又は図４（Ｃ）に示すＮＧ表示に変化する。これにより、オペレータは、第２の入力機２６からのプリント要求があったことを確認することができる。オペレータがオートプリントアイコン３３ｅをクリックすると、出力機９がそのプリント要求のプリント処理が開始される。これにより、出力機９の利用効率が向上する。
【００４２】
なお、上記例では、操作画面からのコマンド入力手段として、マウス及びキーボードを使用しているが、この他、コマンド入力手段として、タッチパネル式のディスプレイを使用してもよい。
【００４３】
なお、上記例の写真プリントシステムでは、入力機としてフイルムスキャナを使用し、写真フイルムから画像を読み取って画像データの取り込みをする例で説明したが、入力機としては、フイルムスキャナの他に、例えば、原稿から画像を読み取る反射原稿スキャナを利用してもよい。
【００４４】
上記例の写真プリントシステムのプリンタは、カラーペーパに画像をレーザー光で記録するレーザプリンタを使用しているが、サーマルプリンタ，インクジェットプリンタ等を使用してもよい。
【００４５】
【発明の効果】
以上詳細に説明したように、本発明は、第１の画像取り込み装置と、この第１の画像取り込み装置から取り込まれた複数のコマ画像に対して注文単位で画像処理を施して出力用の画像データを得る画像処理装置と、前記出力用の画像データに基づいて記録材料に前記コマ画像をプリントするプリント装置とからなる写真プリントシステムに用いられ、このシステムを操作する操作画面を表示するディスプレイを有する写真プリントシステム用制御装置において、前記第１の画像取り込み装置から取り込まれた複数のコマ画像に対する第１の処理を実行している途中に、前記第１の画像取り込み装置とは異なる第２の画像取り込み装置から注文単位で入力された複数のコマ画像に対する第２の処理の要求を受け付ける処理要求受付手段と、前記処理要求を受け付けたことをオペレータに通知する通知手段と、前記プリント装置に対して、前記第１の処理の合間に前記第２の処理を実行する旨の指示を与える指示手段とを備えたから、プリント装置の空き時間を有効に利用することができるので、利用効率が向上する。
【図面の簡単な説明】
【図１】写真プリントシステムの構成図である。
【図２】制御装置の構成図である。
【図３】注文情報設定画面の説明図である。
【図４】オートプリントアイコンの説明図である。
【図５】検定画面の説明図である。
【符号の説明】
２　写真プリントシステム
４　制御装置
１１　システムコントローラ
１７　操作部
１８　ディスプレイ
２１　キーボード
２２　マウス
２６　第２の入力機
３３ｅ　オートプリントアイコン
７１　注文情報設定画面
９１　検定画面
【図１】
2004110715.tif 000003
【図２】
2004110715.tif 000004
【図３】
2004110715.tif 000005
【図４】
2004110715.tif 000006
【図５】
2004110715.tif 000007